(57)【特許請求の範囲】
【請求項１】
船体の後部の外部に配設されると共にこの船体に支持され、かつ、この船体の後方に向って水を噴射可能とする水ジェットポンプを設け、この水ジェットポンプをその下方から覆って上記船体に支持される船底プレートを設け、船艇の推進速度を検出する速度検出センサーを設け、この速度検出センサーが、上記船底プレートに取り付けられるセンサー本体部と、上記船底プレートの下側の水中に少なくとも一部が没入させられてこの水の流動に連動して回転する回転体とを備えた船艇において、
上記船底プレートの下面に、この下面から上方に向って凹み、かつ、上記船体の前後方向に沿って延びる流水溝を上記船底プレートに直接形成し、上記流水溝の前端を上記船底プレートの前端よりも後方の前部下面に位置させる一方、上記流水溝の後端を上記船底プレートの後端に位置させ、上記船底プレートの下面を基準とした上記流水溝の前部の深さを、この流水溝の前端から後方に向うに従い漸増させるよう形成し、この流水溝の後部の内部に上記回転体の少なくとも一部を配設した船艇の推進速度検出装置。
【請求項２】
上記船底プレートの左右各側部の下面を、船体の幅方向のほぼ中央部から上記船体の外側方に向うに従い上昇するようそれぞれ傾斜させて上記船底プレートの下面を正面視断面でほぼＶ字形状にさせた船艇において、
上記船体の幅方向で、その中央部の近傍に上記流水溝を配設した請求項１に記載の船艇の推進速度検出装置。
【発明の詳細な説明】
【０００１】
【発明の属する技術分野】
本発明は、船体の後方に向って水を噴射する水ジェットポンプと、この水ジェットポンプをその下方から覆う船底プレートと、この船底プレートに取り付けられる速度検出センサーとを備えた船艇の推進速度検出装置に関するものである。
【０００２】
【従来の技術】
上記船艇には、従来、米国特許５３６９３６０号公報に示されたものがある。
【０００３】
上記公報のものによれば、船体の後部の外部に水ジェットポンプが配設され、この水ジェットポンプは上記船体に支持されている。上記水ジェットポンプは船体に搭載された内燃機関からの動力を受けて、上記船体の後部側からこの船体の後方に向って水を噴射可能とし、この水の噴射による反力で船艇が推進させられるようになっている。
【０００４】
また、上記水ジェットポンプをその下方から覆って上記船体に支持される船底プレートが設けられている。この船底プレートにより、船艇の推進中などに上記水ジェットポンプが水底に衝突することが防止され、これにより、この水ジェットポンプの保護が図られている。
【０００５】
上記船艇の推進速度を検出する推進速度検出装置が設けれている。この推進速度検出装置は速度検出センサーを備え、この速度検出センサーは、上記船底プレートに取り付けられるセンサー本体部と、上記船底プレートの下側の水中に少なくとも一部が没入させられてこの水の流動に連動して回転する回転体とを備え、この回転体の回転状態が上記センサー本体部に入力可能とされ、この入力に基づいて上記船艇の推進速度が検出されるようになっている。
【０００６】
上記の場合、船底プレートの後部にブラケットが取り付けられ、このブラケットに上記センサー本体部が取り付けられている。上記ブラケットの下面は上記船底プレートの下面とほぼ面一とされ、上記ブラケットの下面に船体の前後方向に沿って延びる流水溝が形成され、この流水溝に上記回転体の一部が配設させられている。
【０００７】
上記構成によれば、速度検出センサーの回転体の一部が上記流水溝の内部に配設されたことから、船艇の推進に伴い、上記流水溝の内部を後方に向って流動し、つまり、船体の幅方向で乱されないように流動する水により上記回転体が回転させられ、もって、推進速度検出装置により、船艇の推進速度が精度よく検出されるようになっている。
【０００８】
【発明が解決しようとする課題】
ところで、上記従来の技術において、上記推進速度検出装置による船艇の推進速度を、より精度よく検出させるようにすることが望まれている。そこで、上記流水溝の内部を流動する水が、船体の幅方向で、より確実に乱されないようにするため、上記流水溝を長くさせ、もって、上記流水溝の内部の水の流動に連動する回転体の回転状態を、上記船艇の推進速度に、より精度よく合致させるようにすることが考えられる。
【０００９】
しかし、上記従来の技術では、流水溝はブラケットに形成されているため、上記流水溝を長くさせようとすると、その分、上記ブラケットの前後方向の長さを大きくさせる必要が生じて、このブラケットが大形になる。しかも、上記したように、速度検出センサーは船底プレートに対しブラケットを介して取り付けられることから、このブラケットを設けた分、部品点数が多くなっている。このため、上記推進速度検出装置の構成が複雑であるという問題がある。
【００１０】
一方、上記船艇の操舵時には、船体は、その通常姿勢を基準として、左右に交互に傾斜して、この船体の左右側部の底面が水面上に浮き上がりがちとなり、この際、上記流水溝の内部を水が流動しなくなるおそれを生じる。そして、この場合には、推進速度検出装置による船艇の推進速度の検出の精度が低下するという不都合を生じる。
【００１１】
本発明は、上記のような事情に注目してなされたもので、推進速度検出装置による船艇の推進速度の検出がより精度よくなされるようにし、かつ、このようにした場合でも、推進速度検出装置の構成が複雑にならないようにすることを課題とする。
【００１２】
また、船艇の操舵時に船体が左右に傾斜したとしても、推進速度検出装置による船艇の推進速度の検出の精度が良好に保たれるようにすることを課題とする。
【００１３】
【課題を解決するための手段】
上記課題を解決するための本発明の船艇の推進速度検出装置は、次の如くである。
【００１４】
請求項１の発明は、船体３の後部の外部に配設されると共にこの船体３に支持され、かつ、この船体３の後方に向って水２を噴射可能とする水ジェットポンプ２９を設け、この水ジェットポンプ２９をその下方から覆って上記船体３に支持される船底プレート３９を設け、船艇１の推進速度を検出する速度検出センサー４４を設け、この速度検出センサー４４が、上記船底プレート３９に取り付けられるセンサー本体部４５と、上記船底プレート３９の下側の水２中に少なくとも一部が没入させられてこの水２の流動に連動して回転する回転体４７とを備えた船艇１において、
【００１５】
上記船底プレート３９の下面に、この下面から上方に向って凹み、かつ、上記船体３の前後方向に沿って延びる流水溝４８を上記船底プレート３９に直接形成し、上記流水溝４８の前端を上記船底プレート３９の前端よりも後方の前部下面に位置させる一方、上記流水溝４８の後端を上記船底プレート３９の後端に位置させ、上記船底プレート３９の下面を基準とした上記流水溝４８の前部の深さを、この流水溝４８の前端から後方に向うに従い漸増させるよう形成し、この流水溝４８の後部の内部に上記回転体４７の少なくとも一部を配設したものである。
【００１６】
請求項２の発明は、請求項１の発明に加えて、上記船底プレート３９の左右各側部の下面を、上記船体３の幅方向のほぼ中央部から船体３の外側方に向うに従い上昇するようそれぞれ傾斜させて上記船底プレート３９の下面を正面視断面でほぼＶ字形状にさせた船艇１において、
【００１７】
上記船体３の幅方向で、その中央部の近傍に上記流水溝４８を配設したものである。
【００１８】
【発明の実施の形態】
以下、本発明の実施の形態を図面により説明する。
【００１９】
（第１の実施の形態）
【００２０】
図１〜５は、第１の実施の形態を示している。
【００２１】
図１〜５において、符号１は跨座式（換言すれば、鞍乗式）の小型の船艇であり、水２に浮かべられている。また、矢印Ｆｒは、上記船艇１の進行方向の前方を示し、下記する左右とは、上記前方に向っての上記船艇１の船体３の幅方向をいうものとする。
【００２２】
上記船艇１は滑走型の小型の船艇であり、つまり、この船艇１は水２面に対して小さい傾角の前上がりのほぼ一定姿勢で水２面上を滑走するように高速推進可能とされるものである。上記船艇１の船体３はガラス繊維で強化された樹脂（ＦＲＰ）製で、その下部がハル４、上部がデッキ５であり、これらハル４とデッキ５の結合部がガンネル６である。
【００２３】
上記船体３の内部をエンジンルームである前部室９と後部室１０とに仕切る仕切壁１１が設けられている。この仕切壁１１は上記ハル４とデッキ５の各内面を互いに強固に結合させて上記船体３の前後方向の中途部を補強する補強材ともなっている。
【００２４】
上記船体３に搭載されてこの船体３を推進させる推進装置１２が設けられている。この推進装置１２は、上記前部室９に設置される内燃機関１３を有し、この内燃機関１３は船体３の幅方向で、そのほぼ中央に位置させられている。また、この内燃機関１３に供給されるべき燃料を溜める燃料タンク１４も上記前部室９に設置されている。
【００２５】
上記内燃機関１３にその外部の空気と燃料とを共に供給可能とする不図示の吸気系部材が設けられている。また、上記内燃機関１３から延出してこの内燃機関１３から排出される排気を上記船体３の後部の外方に導出させる排気管１６が設けられている。
【００２６】
上記内燃機関１３からの動力を受けて駆動し上記船体３を推進させるジェット噴射手段２２が設けられている。このジェット噴射手段２２は、上記ハル４の後部に支持されて前端が上記船体３の後部の下方に向って開口し後端が上記船体３の後方に向って開口する流水管２３を有している。この流水管２３は断面が円形で、その内部が、上記船体３の後部の下方を、同上船体３の後方に連通させる水通路２４とされ、この水通路２４の後部に配設されて上記流水管２３に支承されるインペラ２５が設けられている。
【００２７】
上記の場合、流水管２３の前部を構成する前部管２３ａは上記ハル４に一体成形され、上記流水管２３の後部を構成する後部管２３ｂは上記船体３と前部管２３ａとに締結具２３ｃにより締結され、上記後部管２３ｂ内の水通路２４に上記インペラ２５が配設され、上記後部管２３ｂとインペラ２５とは同じ軸心２６上に位置させられている。また、上記インペラ２５は推進軸２８により上記内燃機関１３に連動連結されている。
【００２８】
上記流水管２３の後部管２３ｂとインペラ２５とは水ジェットポンプ２９を構成し、この水ジェットポンプ２９は上記船体３の後部の外部に配設されると共に、上記したように締結具２３ｃにより上記船体３に支持されている。
【００２９】
上記流水管２３の後端に外嵌されて上記船体３の後部に支承される操舵管３０が設けられ、この操舵管３０はその後部が上下、左右に回動するよう支承されている。一方、上記船体３の前上部に操舵用のハンドル３１が突設され、このハンドル３１に上記操舵管３０が連動連結されている。上記ハンドル３１の後方で、同上船体３の上面には跨座式のシート３２が設けられ、前方に向ってこのシート３２に跨座状に着座した運転者により、上記ハンドル３１の端部に設けられたグリップ３１ａが把持可能とされている。
【００３０】
上記の場合、船体３の幅方向の中央部を通り、かつ、前後方向に延びる鉛直の仮想中心面３３を基準として、上記船体３はほぼ左右対称形に形成されると共に、上記船体３の幅方向で、上記仮想中心面３３の近傍（仮想中心面３３上を含む、以下同じ）に上記軸心２６が位置させられている。
【００３１】
上記内燃機関１３を駆動させると、この内燃機関１３の動力が前記ジェット噴射手段２２の推進軸２８に伝達され、この推進軸２８と共に回転する上記インペラ２５により、上記水通路２４内の水２が後方に向って加速され、これにより、上記船体３の後部の下方の水２が上記水通路２４の前端からこの水通路２４内に吸入される一方、この水通路２４を通過してその後端から後方に向って噴射させられ、つまり、水ジェットポンプ２９により、船体３の後部側からこの船体３の後方に向って水２が噴射させられ、この噴射の反力により、上記船艇１が前方に向って推進させられる。
【００３２】
上記推進時に、運転者が上記ハンドル３１を操作し、上記操舵管３０の姿勢を変化させるよう回動させれば、上記噴射の方向が変化して、船艇１が所望の方向に操舵される。
【００３３】
上記船体３と、これに関連する構成につき、より詳しく説明する。
【００３４】
上記船体３の後部におけるハル４の左右方向の中央部が上方に向って膨出させられており、その内部がポンプ室３４とされている。このポンプ室３４は、左右側板３５，３５と、これら側板３５，３５の各上端縁を互いに一体的に連結する天井板３６と、上記各側板３５と天井板３６の各前端縁を互いに一体的に連結する前面板３７とで囲まれ、これら各板３５，３６，３７は上記のように膨出させたハル４の後部で構成され、上記ポンプ室３４は下方と、後方とに向って開口させられている。
【００３５】
上記ポンプ室３４は、上記仮想中心面３３を基準としてほぼ左右対称形とされており、上記ポンプ室３４に上記水ジェットポンプ２９が収容されている。
【００３６】
上記ポンプ室３４をその下方に開放させた開口の少なくとも一部を閉じると共に、上記水ジェットポンプ２９をその下方から覆うアルミ金属板製の船底プレート３９が設けられ、この船底プレート３９も上記仮想中心面３３を基準としてほぼ左右対称形とされている。上記船底プレート３９の左右各側端部は上記船体３の後部を構成している上記各側板３５の下端部に着脱自在に締結され、これにより、上記船底プレート３９が上記船体３の後部に支持されている。
【００３７】
上記船底プレート３９の左右各部のうち、上記仮想中心面３３が通る中央部の近傍部分を構成する中央部板４１は、左右方向でほぼ水平に短く延び、上記船底プレート３９の各側部をそれぞれ構成する各側部板４２の下面は、上記船体３の幅方向のほぼ中央部から上記船体３の外側方に向うに従い、上昇するようそれぞれ傾斜させられ、つまり、上記船底プレート３９の下面は船体３の正面視（背面視）の断面（図１）で、ほぼＶ字形状とされている。また、上記船底プレート３９の左右各部の下面は前後にほぼ水平に延びて、上記船体３のハル４の左右各部の下面とそれぞれ前後方向でほぼ面一とされている。
【００３８】
上記船艇１の推進速度を検出して表示する推進速度検出装置４３が設けられている。この推進速度検出装置４３が備える速度の表示部（不図示）は、上記ハンドル３１の近傍に配設されている。また、上記推進速度検出装置４３は船艇１の推進速度を検出してその検出信号を上記表示部に出力する速度検出センサー４４を備えている。
【００３９】
上記船底プレート３９の中央部板４１の後端部には、切り欠き４１ａが形成されている。上記速度検出センサー４４は、上記中央部板４１の後端部の上側に配設されるセンサー本体部４５を備え、このセンサー本体部４５は上記中央部板４１の後端部の上面側に締結具４６により締結されて取り付けられている。また、上記速度検出センサー４４は、上記センサー本体部４５に支承されて左右に延びる軸心回りに回転自在とされるパドル形状の回転体４７を備えている。この回転体４７の少なくとも一部である下端部は、上記切り欠き４１ａを通して上記船底プレート３９の下側の水２中に没入させられ、この水２の流動に連動して回転することとされている。
【００４０】
上記回転体４７が水２の流動に連動して回転すれば、この回転体４７の回転数や速度などの回転状態が上記センサー本体部４５に入力され、この入力に基づいて、上記船艇１の推進速度が検出される。そして、その検出信号が上記表示部に入力されることにより、その速度が表示されて、上記乗員によって視認可能とされる。
【００４１】
上記船底プレート３９の中央部板４１の下面に、この下面から上方に向って凹み、かつ、上記船体３の前後方向に沿って長く延びる流水溝４８が上記船底プレート３９に直接形成(一体成形)されている。上記流水溝４８は、その横断面が下方に向って開く半円形状とされ、上記中央部板４１の前端から後方に少し離れた部分が前端とされ、この前端から上記中央部板４１の後端部に至るまでほぼ直線的に形成されている。また、上記船底プレート３９は、船体３の幅方向で、上記仮想中心面３３の近傍に配設されている。そして、上記流水溝４８の後端部の内部に上記切り欠き４１ａを通し上記回転体４７の下端部が配設されている。
【００４２】
上記構成によれば、船底プレート３９の下面に、上記船体３の前後方向に沿って延びる流水溝４８が上記船底プレート３９に直接形成され、この流水溝４８の後部の内部に上記回転体４７の少なくとも一部が配設されている。
【００４３】
ここで、上記船底プレート３９は上記水ジェットポンプ２９を下方から覆って保護するものであり、前後方向に長い寸法とされるものである。このため、上記したように、船底プレート３９に流水溝４８を直接形成する場合には、上記船底プレート３９の長さが長い分、上記流水溝４８の長さも十分に長くさせることができる。
【００４４】
よって、上記流水溝４８の内部を流動する水２は、船体３の幅方向でその流動が乱されることが防止され、船艇１の推進に伴って、この推進に同期するよう円滑に後方に向い流動することとなる。このため、このように流動する水２により上記回転体４７が回転させられることから、この回転体４７の回転状態は上記船艇１の推進速度に、より精度よく合致することとなって、上記推進速度検出装置４３により、船艇１の推進速度が精度よく検出される。
【００４５】
そして、上記の場合、流水溝４８は、従来の技術のように船底プレート３９とは別部材のブラケットに形成したものではなく、船底プレート３９に直接形成したものであることから、上記したように流水溝４８を長くしても、これに伴い、上記推進速度検出装置４３のいずれかの構成部品が大きくなることはないと共に、部品点数が増えることも防止される。
【００４６】
よって、前記したように、推進速度検出装置４３による船艇１の推進速度の検出がより精度よくなされるようにした場合でも、推進速度検出装置４３の構成が複雑になることは防止される。
【００４７】
また、前記したように、船底プレート３９の左右各側部の側部板４２の下面は船体３の外側方に向うに従い上昇するようそれぞれ傾斜させられて、上記船底プレート３９の下面は正面視断面でほぼＶ字形状とされている。
【００４８】
ここで、船艇１の操舵時には、船体３は、前記仮想中心面３３がほぼ鉛直状態に保たれる通常姿勢を基準として、左右に交互に傾斜するが、上記船底プレート３９の下面の形状に依って、船体３は上記通常姿勢に復元するよう水２側から外力を浮け、もって、直進性や安定した推進状態が確保される。
【００４９】
そして、上記構成において、船体３の幅方向で、その中央部の近傍に上記流水溝４８が配設されているため、上記船体３の上記通常姿勢で、流水溝４８は上記船底プレート３９の最下端部に位置することとなる。しかも、上記船艇１の操舵時に、船体３が上記通常姿勢を基準として左右に傾斜し、この際、上記各側部板４２の下面が水２面上に浮き上がりがちになるとしても、上記船底プレート３９のほぼ中央部に形成された流水溝４８までもが水２面上に浮き上がろうとすることは抑制される。
【００５０】
よって、船艇１の操舵時に船体３が左右に傾斜したとしても、上記流水溝４８の内部における水２の流動は確保されることから、この流水溝４８の水２に上記回転体４７が連動して、推進速度検出装置４３による船艇１の推進速度の検出の精度が良好に保たれる。
【００５１】
また、上記構成によれば、船底プレート３９の下面に流水溝４８を成形する場合に、上記船底プレート３９の中央部板４１を上方に向って膨出させ、この膨出部５０の下面側で上記流水溝４８を形成してある。
【００５２】
このため、上記船底プレート３９の各部板厚は、上記流水溝４８を形成した部分を含めて、ほぼ均等とされ、かつ、上記膨出部５０はビードとして働き、つまり、この膨出部５０は上記流水溝４８を形成すると共に、上記船底プレート３９を補強することとなっている。よって、上記船底プレート３９によれば、上記水ジェットポンプ２９の保護がより確実になされることとなる。
【００５３】
また、上記回転体４７の回転軌跡の下端は、上記流水溝４８の内部で、この流水溝４８の開口縁よりも上側、つまり、上記中央部板４１の下端面よりも上側に位置させられており、これにより、上記船底プレート３９の下面が水底に衝突しても、上記回転体４７は損傷させられないこととされている。
【００５４】
なお、以上は図示の例によるが、上記船底プレート３９は樹脂製（ＦＲＰ製）であってもよい。また、上記中央部板４１の下面は、上記流水溝４８の下端開口の幅寸法よりも十分に大きくてもよい。更に、上記流水溝４８はその横断面を下方に向って開く矩形や三角形としてもよく、また、上記船底プレート３９に膨出部５０を設けることなく、船底プレート３９の下面に単に形成してもよい。
【００５５】
（第２の実施の形態）
【００５６】
図６〜９は、第２の実施の形態を示している。
【００５７】
これによれば、上記船底プレート３９は、上記ハル４の側板３５に対し締結具４０により着脱自在に締結されて支持された船底プレート本体５２と、この船底プレート本体５２の下面に締結具５３により着脱自在に締結されたライナープレート５４とを備えている。また、このライナープレート５４は前後に分割されて前後に連続的に並設される前プレート５５と後プレート５６とで構成され、これら前プレート５５と後プレート５６は上記締結具５３により個別に上記船底プレート本体５２の下面に着脱自在に締結されている。そして、上記ライナープレート５４の下面に、上記したように流水溝４８が形成されている。
【００５８】
上記構成において、船艇１が推進中等に、水底に接触して上記船底プレート３９が損傷する場合、この船底プレート３９のうち、船底プレート本体５２よりもライナープレート５４が水底に直接接触して損傷し易くなる。
【００５９】
このため、上記船底プレート３９が損傷した場合、この船底プレート３９の全てを新しいものに交換しなくても、上記ライナープレート５４だけ、より詳しくは、このライナープレート５４を構成する前プレート５５と後プレート５６のいずれか損傷の大きいものだけを交換すれば足り、よって、この交換のための作業が容易にできると共に、安価にできる。
【００６０】
また、上記流水溝４８のうち、この流水溝４８の前端を含む前部側が上記前プレート５５の下面に形成され、上記流水溝４８の後部側は上記後プレート５６の下面に形成されている。また、上記後プレート５６の後部にセンサー本体部４５を取り付けるセンサーブラケット５６ａが形成され、このセンサーブラケット５６ａの下端部は上記後プレート５６の前部側の下面よりも少し下方に突出している。
【００６１】
上記構成において、流水溝４８の幅寸法、深さなどの断面形状を変更しようとするときには、上記ライナープレート５４だけを交換すれば足り、また、上記流水溝４８の長さを変更しようとするときには、上記流水溝４８の前部側の長さを長く、もしくは短く形成した前プレート５５だけを交換してもよい。
【００６２】
よって、上記流水溝４８の形状上の仕様を変更しようとする場合も、その作業が容易にできると共に、安価にできる。
【００６３】
なお、上記船底プレート本体５２、前プレート５５、および後プレート５６のうち、いずれか二つ、もしくは全部を互いに一体成形してもよい。
【００６４】
他の構成や作用は、前記実施の形態と同様であるため、図面に共通の符号を付して、その重複した説明を省略する。
【００６５】
（第３の実施の形態）
【００６６】
図１０は、第３の実施の形態を示している。
【００６７】
これによれば、上記船底プレート３９は樹脂製とされ、上記船底プレート３９の中央部板４１の下面は、上記流水溝４８の下端開口の幅寸法よりも十分大きくされている。
【００６８】
他の構成や作用は、前記実施の形態と同様であるため、図面に共通の符号を付して、その重複した説明を省略する。
【００６９】
【発明の効果】
本発明による効果は、次の如くである。
【００７０】
請求項１の発明は、船体の後部の外部に配設されると共にこの船体に支持され、かつ、この船体の後方に向って水を噴射可能とする水ジェットポンプを設け、この水ジェットポンプをその下方から覆って上記船体に支持される船底プレートを設け、船艇の推進速度を検出する速度検出センサーを設け、この速度検出センサーが、上記船底プレートに取り付けられるセンサー本体部と、上記船底プレートの下側の水中に少なくとも一部が没入させられてこの水の流動に連動して回転する回転体とを備えた船艇において、
【００７１】
上記船底プレートの下面に、この下面から上方に向って凹み、かつ、上記船体の前後方向に沿って延びる流水溝を上記船底プレートに直接形成し、上記流水溝の前端を上記船底プレートの前端よりも後方の前部下面に位置させる一方、上記流水溝の後端を上記船底プレートの後端に位置させ、上記船底プレートの下面を基準とした上記流水溝の前部の深さを、この流水溝の前端から後方に向うに従い漸増させるよう形成し、この流水溝の後部の内部に上記回転体の少なくとも一部を配設してある。
【００７２】
ここで、上記船底プレートは上記水ジェットポンプを下方から覆って保護するものであり、前後方向に長い寸法とされるものである。このため、上記したように、船底プレートに流水溝を直接形成する場合には、上記船底プレートの長さが長い分、上記流水溝の長さも十分に長くさせることができる。
【００７３】
よって、上記流水溝の内部を流動する水は、船体の幅方向でその流動が乱されることが防止され、船艇の推進に伴って、この推進に同期するよう円滑に後方に向い流動することとなる。このため、このように流動する水により上記回転体が回転させられることから、この回転体の回転状態は上記船艇の推進速度に、より精度よく合致することとなって、上記推進速度検出装置により、船艇の推進速度が精度よく検出される。
【００７４】
そして、上記の場合、流水溝は、従来の技術のように船底プレートには別部材のブラケットに形成したものではなく、船底プレートに直接形成したものであることから、上記したように流水溝を長くしても、これに伴い、上記推進速度検出装置のいずれかの構成部品が大きくなることはないと共に、部品点数が増えることも防止される。
【００７５】
よって、前記したように、推進速度検出装置による船艇の推進速度の検出がより精度よくなされるようにした場合でも、推進速度検出装置の構成が複雑になることは防止される。
【００７６】
請求項２の発明は、その前提条件として、上記船底プレートの左右各側部の下面を、上記船体の幅方向のほぼ中央部から船体の外側方に向うに従い上昇するようそれぞれ傾斜させて上記船底プレートの下面を正面視断面でほぼＶ字形状にさせてある。
【００７７】
ここで、船艇の操舵時には、船体は通常姿勢を基準として、左右に交互に傾斜するが、上記船底プレートの下面の形状に依って、船体は上記通常姿勢に復元するよう水側から外力を浮け、もって、直進性や安定した推進状態が確保される。
【００７８】
そして、上記構成において、船体の幅方向で、その中央部の近傍に上記流水溝を配設してある。
【００７９】
このため、上記船体の通常姿勢で、流水溝は上記船底プレートの最下端部に位置することとなる。しかも、上記船艇の操舵時に、船体が上記通常姿勢を基準として左右に傾斜し、この際、船体の左右各側部の底面が水面上に浮き上がりがちになるとしても、上記船底プレートのほぼ中央部に形成された流水溝までもが水面上に浮き上がろうとすることは抑制される。
【００８０】
よって、船艇の操舵時に船体が左右に傾斜したとしても、上記流水溝の内部における水の流動が確保されることから、この流水溝の水に上記回転体が連動して、推進速度検出装置による船艇の推進速度の検出の精度が良好に保たれる。
【図面の簡単な説明】
【図１】第１の実施の形態で、図３の部分拡大一部破断図である。
【図２】第１の実施の形態で、船艇の全体側面部分断面図である。
【図３】第１の実施の形態で、図２の３−３線矢視の船体の断面図である。
【図４】第１の実施の形態で、図２の部分拡大断面図である。
【図５】第１の実施の形態で、船底プレートの底面図である。
【図６】第２の実施の形態で、図１に相当する図である。
【図７】第２の実施の形態で、図４に相当する図である。
【図８】第２の実施の形態で、図７の８‐８線矢視断面図である。
【図９】第２の実施の形態で、図５に相当する図である。
【図１０】第３の実施の形態で、図１の一部に相当する図である。
【符号の説明】
１      船艇
２      水
３      船体
２２    ジェット噴射手段
２９    水ジェットポンプ
３３    仮想中心面
３４    ポンプ室
３９    船底プレート
４１    中央部板
４２    側部板
４３    推進速度検出装置
４４    速度検出センサー
４５    センサー本体部
４７    回転体
４８    流水溝
５０    膨出部
５２    船底プレート本体
５３    締結具
５４    ライナープレート
５５    前プレート
５６    後プレート
【図１】
0004086263.tif 000002
【図２】
0004086263.tif 000003
【図３】
0004086263.tif 000004
【図４】
0004086263.tif 000005
【図５】
0004086263.tif 000006
【図６】
0004086263.tif 000007
【図７】
0004086263.tif 000008
【図８】
0004086263.tif 000009
【図９】
0004086263.tif 000010
【図１０】
0004086263.tif 000011